(57)【特許請求の範囲】
【請求項１】
縦方向と、前記縦方向と交差する横方向と、前記縦方向及び前記横方向と交差する前後方向と、を有し、
前記横方向に沿った前胴回り部と、
前記横方向に沿った後胴回り部と、
液体を吸収する吸収体を有し、前記前胴回り部と前記後胴回り部との間に設けられた吸収性本体と、
を備えた吸収性物品であって、
前記横方向における前記後胴回り部の一方側の端部と、前記横方向における前記前胴回り部の一方側の端部とは、第１接合部によって接合されており、
前記横方向における前記後胴回り部の他方側には、着用時に前記前胴回り部に係止可能な係止部が設けられており、
前記前胴回り部において、
前記吸収性本体の前記横方向における中央位置よりも前記一方側の第１領域のうち少なくとも一部には、前記横方向に伸縮する弾性領域が設けられており、
前記吸収性本体の前記横方向における中央位置よりも前記他方側の第２領域のうち前記吸収性本体の前記他方側の端よりも前記他方側には、前記弾性領域が設けられていない、
ことを特徴とする吸収性物品。
【請求項２】
請求項１に記載の吸収性物品であって、
前記後胴回り部において、前記吸収性本体の前記横方向の中央位置よりも前記一方側の第３領域のうち少なくとも一部には、前記弾性領域が設けられている、ことを特徴とする吸収性物品。
【請求項３】
請求項２に記載の吸収性物品であって、
前記後胴回り部において、前記吸収性本体の前記横方向の中央位置よりも前記他方側の第４領域のうち少なくとも一部には、前記弾性領域が設けられている、ことを特徴とする吸収性物品。
【請求項４】
請求項３に記載の吸収性物品であって、
前記第４領域に設けられた前記弾性領域よりも前記他方側には、前記弾性領域が設けられていない、ことを特徴とする吸収性物品。
【請求項５】
請求項３または４に記載の吸収性物品であって、
前記第３領域に設けられた前記弾性領域と前記第４領域に設けられた前記弾性領域とが、前記横方向において連続している、ことを特徴とする吸収性物品。
【請求項６】
請求項２〜５のいずれかに記載の吸収性物品であって、
前記第１領域に設けられた前記弾性領域と前記第３領域に設けられた前記弾性領域とが、前記横方向において実質的に連続している、ことを特徴とする吸収性物品。
【請求項７】
請求項１〜６のいずれかに記載の吸収性物品であって、
前記第２領域の全域に、前記弾性領域が設けられていない、ことを特徴とする吸収性物品。
【請求項８】
請求項７に記載の吸収性物品であって、
前記前胴回り部の非肌側において、前記第２領域中の所定の領域には、前記係止部を係止させる領域であるターゲット領域が設けられている、ことを特徴とする吸収性物品。
【請求項９】
請求項１〜８のいずれかに記載の吸収性物品であって、
前記股下部の前記横方向の両端部には前記縦方向に伸縮可能なレッグギャザー弾性部材が設けられており、
前記縦方向において、前記レッグギャザー弾性部材の弾性力が作用する範囲と、前記後胴回り部において、前記吸収性本体の前記横方向の中央位置よりも前記他方側の領域の少なくとも一部とが重複している、ことを特徴とする吸収性物品。
【請求項１０】
請求項１〜９のいずれかに記載の吸収性物品であって、
前記後胴回り部の前記縦方向の長さは、前記前胴回り部の前記縦方向の長さよりも長い、ことを特徴とする吸収性物品。
【発明の詳細な説明】
【技術分野】
【０００１】
本発明は、吸収性物品に関する。
【背景技術】
【０００２】
従来、排泄物を吸収する吸収性物品として所謂テープ型おむつやパンツ型おむつの使い捨ておむつが知られている。このテープ型おむつやパンツ型おむつが有する、バタつく乳幼児に履かせるのが難しいことや、着用時に無理な姿勢を強いてしまうという問題を解消するため、特許文献１には、ウエスト部（胴回り部）の左右両側部の一方を接合し、他方を未接合とした片開きパンツ型おむつが開示されている。
【先行技術文献】
【特許文献】
【０００３】
【特許文献１】実開平４−５８２６号
【発明の概要】
【発明が解決しようとする課題】
【０００４】
片開きパンツ型おむつを着用する際には、まず、ウエスト部の左右両側部の一方側のレッグホールに着用者の片脚を入れる。その後、他方側の前後の各ウエスト部を他方側に引っ張って重ね合わせ、後ウエスト部側に設けられた係止部（テープファスナー）を、前ウエスト部側に設けられたターゲット領域（被着領域）に接合させる。
【０００５】
このような着用動作では、前後の各ウエスト部を他方側に引っ張る際に、身体に対するおむつの位置が調整される。しかし、ウエストを片側（他方側）にのみ引っ張る動作では、着用者の身体の中央に吸収体が配置されるように位置を調整することは困難である。また、特許文献１の片開きパンツ型おむつでは、ウエスト部等の形状が左右非対称であるにも関わらず、従来のおむつと同様に左右対称の仕様で設計が行われている。その結果、吸収体の位置が中央からずれた状態でおむつが着用され排泄物が漏れたり、着用時の左右のバランスがずれて良好なフィット感が得られなかったりする問題があった。
【０００６】
本発明は、上記のような問題に鑑みてなされたものであって、その目的とするところは、着用時において左右のバランスが取りやすく、良好なフィット性を有する片開きおむつを提供することにある。
【課題を解決するための手段】
【０００７】
上記目的を達成するための主たる発明は、縦方向と、前記縦方向と交差する横方向と、前記縦方向及び前記横方向と交差する前後方向と、を有し、前記横方向に沿った前胴回り部と、前記横方向に沿った後胴回り部と、液体を吸収する吸収体を有し、前記前胴回り部と前記後胴回り部との間に設けられた吸収性本体と、を備えた吸収性物品であって、前記横方向における前記後胴回り部の一方側の端部と、前記横方向における前記前胴回り部の一方側の端部とは、第１接合部によって接合されており、前記横方向における前記後胴回り部の他方側には、着用時に前記前胴回り部に係止可能な係止部が設けられており、前記前胴回り部において、前記吸収性本体の前記横方向における中央位置よりも前記一方側の第１領域のうち少なくとも一部には、前記横方向に伸縮する弾性領域が設けられており、前記吸収性本体の前記横方向における中央位置よりも前記他方側の第２領域のうち前記吸収性本体の前記他方側の端よりも前記他方側には、前記弾性領域が設けられていない、ことを特徴とする吸収性物品である。
本発明の他の特徴については、本明細書及び添付図面の記載により明らかにする。
【発明の効果】
【０００８】
本発明によれば、着用時において左右のバランスが取りやすく、良好なフィット性を有する片開きおむつを提供することができる。
【図面の簡単な説明】
【０００９】
【図１】本実施形態に係るおむつ１の斜視イメージ図である。
【図２】展開状態のおむつ１の平面図である。
【図３】弾性領域Ｘ、Ｙについて説明する図である。
【図４】おむつ１の着用方法について説明する図である。
【図５】おむつ１の着用時において、胴回り部３０に作用する力について説明する図である。
【図６】比較例のおむつを着用する際に胴回り部３０に作用する力について説明する図である。
【図７】おむつ１の着用時において、後胴回り部２０に作用する力について説明する図である。
【図８】弾性領域Ｘ３と弾性領域Ｙとの連続性について説明する概略断面図である。
【発明を実施するための形態】
【００１０】
本明細書及び添付図面の記載により、少なくとも以下の事項が明らかとなる。
【００１１】
縦方向と、前記縦方向と交差する横方向と、前記縦方向及び前記横方向と交差する前後方向と、を有し、前記横方向に沿った前胴回り部と、前記横方向に沿った後胴回り部と、液体を吸収する吸収体を有し、前記前胴回り部と前記後胴回り部との間に設けられた吸収性本体と、を備えた吸収性物品であって、前記横方向における前記後胴回り部の一方側の端部と、前記横方向における前記前胴回り部の一方側の端部とは、第１接合部によって接合されており、前記横方向における前記後胴回り部の他方側には、着用時に前記前胴回り部に係止可能な係止部が設けられており、前記前胴回り部において、前記吸収性本体の前記横方向における中央位置よりも前記一方側の第１領域のうち少なくとも一部には、前記横方向に伸縮する弾性領域が設けられており、前記吸収性本体の前記横方向における中央位置よりも前記他方側の第２領域のうち前記吸収性本体の前記他方側の端よりも前記他方側には、前記弾性領域が設けられていない、ことを特徴とする吸収性物品。
【００１２】
このような吸収性物品によれば、吸収性物品を着用させる動作において前胴回り部が横方向に引っ張られる際に、第２領域で吸収性本体よりも横方向の他方側の領域が伸縮しないため、前胴回り部を引っ張る力によって吸収性本体を横方向に移動させやすくなる。また、第１領域が伸縮するため、吸収性本体を逆方向に引っ張る力が働き、吸収性本体が横方向に拡幅される。これにより、吸収体の位置を着用者の身体の中央位置に合わせやすくすると共に左右のバランスが取りやすくなり、着用者に良好なフィット性を与えることができる。
【００１３】
かかる吸収性物品であって、前記後胴回り部において、前記吸収性本体の前記横方向の中央位置よりも前記一方側の第３領域のうち少なくとも一部には、前記弾性領域が設けられている、ことが望ましい。
【００１４】
このような吸収性物品によれば、吸収性物品を着用させる動作において後胴回り部が横方向に引っ張られる際に、第３領域に設けられた弾性領域によって横方向の伸縮力が生じ、吸収性本体が逆方向に引っ張られる。これにより、吸収性本体が横方向に拡幅され皺等が生じにくくなり、吸収性物品の着用時におけるフィット性を向上させることができる。
【００１５】
かかる吸収性物品であって、前記後胴回り部において、前記吸収性本体の前記横方向の中央位置よりも前記他方側の第４領域のうち少なくとも一部には、前記弾性領域が設けられている、ことが望ましい。
【００１６】
このような吸収性物品によれば、後胴回り部２０の広範囲に亘って横方向の伸縮力が生じ、吸収性本体を横方向に拡幅しつつ、後胴回り部２０の全体を着用者の身体にフィットさせやすくなる。特に、面積の広い着用者の臀部においても、吸収性物品の位置がずれにくくなる。
【００１７】
かかる吸収性物品であって、前記第４領域に設けられた前記弾性領域よりも前記他方側には、前記弾性領域が設けられていない、ことが望ましい。
【００１８】
このような吸収性物品によれば、吸収性物品を着用させる動作において、後胴回り部を横方向に引っ張る際に掴まれる部分（係止部材）が伸縮しないため、操作性が良好になる。また、そのような非伸縮の領域に係止部が設けられることにより、係止部に皺が生じることが抑制され、平面形状に保たれやすくなるため、前記前胴回り部（ターゲット領域）に係止部をしっかりと係止させることができる。
【００１９】
かかる吸収性物品であって、前記第３領域に設けられた前記弾性領域と前記第４領域に設けられた前記弾性領域とが、前記横方向において連続している、ことが望ましい。
【００２０】
このような吸収性物品によれば、第３領域に設けられた弾性領域による伸縮力と、第４領域に設けられた弾性領域による伸縮力とが連動して、後胴回り部の全体に亘って伸縮性が確保され、伸縮力を均等に作用させやすくなる。これにより、後胴回り部の伸長の割合が局所的に変化したり、歪が生じたりしにくくなり、吸収性物品の着用時においてフィット性が向上する。また、吸収性物品の後胴回り部が着用者の背中の位置に合いやすくなる。
【００２１】
かかる吸収性物品であって、前記第１領域に設けられた前記弾性領域と前記第３領域に設けられた前記弾性領域とが、前記横方向において実質的に連続している、ことが望ましい。
【００２２】
このような吸収性物品によれば、第３領域に設けられた弾性領域による伸縮力と、第１領域に設けられた弾性領域による伸縮力とが連動して、胴回り開口部のほぼ全周に亘って伸縮性が確保され、また、伸縮力を均等に作用させやすくなる。これにより、胴回り開口部の伸長の割合が局所的に変化したり、歪が生じたりしにくくなり、吸収性物品の着用時においてフィット性がより向上する。
【００２３】
かかる吸収性物品であって、前記第２領域の全域に、前記弾性領域が設けられていない、ことが望ましい。
【００２４】
このような吸収性物品によれば、吸収性物品を着用させる動作において前胴回り部が横方向に引っ張られる際に、第２領域の全体が伸縮しないため、前胴回り部を引っ張る力が直接吸収体に作用しやすく、吸収体を横方向に移動させやすくなる。これにより、吸収体の位置を着用者の身体の中央位置に正確に合わせやすくなる。
【００２５】
かかる吸収性物品であって、前記前胴回り部の非肌側において、前記第２領域中の所定の領域には、前記係止部を係止させる領域であるターゲット領域が設けられている、ことが望ましい。
【００２６】
このような吸収性物品によれば、第２領域の全体が伸縮しにくいため、ターゲット領域が平面形状に保たれやすく、皺が生じにくい。したがって、ターゲット領域の表面に、係止部を係止させやすく、係止させた後は両者が外れにくくなる。これにより、着用者が身体を動かした場合であっても吸収性物品がずれにくく、良好なフィット性を維持しやすくなる。
【００２７】
かかる吸収性物品であって、前記股下部の前記横方向の両端部には前記縦方向に伸縮可能なレッグギャザー弾性部材が設けられており、前記縦方向において、前記レッグギャザー弾性部材の弾性力が作用する範囲と、前記後胴回り部において、前記吸収性本体の前記横方向の中央位置よりも前記他方側の領域の少なくとも一部とが重複している、ことが望ましい。
【００２８】
このような吸収性物品によれば、吸収性物品を着用させる動作において後胴回り部が横方向に引っ張られる際に、該後胴回り部に連動してレッグギャザー弾性部材が引っ張られ、レッグギャザーが斜め上方側に引き上げられる。また、レッグギャザーが伸ばされることによって皺が生じにくくなるため、背側（臀部側）脚回り部におけるフィット性を向上させることができる。
【００２９】
かかる吸収性物品であって、前記後胴回り部の前記縦方向の長さは、前記前胴回り部の前記縦方向の長さよりも長い、ことが望ましい。
【００３０】
このような吸収性物品によれば、吸収性物品の着用時において、面積の広い臀部領域を、後胴回り部によってしっかりと覆うことができるようになる。
【００３１】
＝＝＝実施形態＝＝＝
＜使い捨ておむつ１の基本構成＞
本実施形態に係る吸収性物品の一例として、片開き型の使い捨ておむつ１（以下、単におむつ１とも呼ぶ）の構成について説明する。図１は、本実施形態に係るおむつ１の斜視イメージ図である。図２は、展開状態のおむつ１の平面図である。展開状態とは、図１のおむつ１の係止部４１をターゲット領域３４から取り外して第１接合部１ｂを分離し、開いておむつ１全体を平面的に展開した状態である。図３は、弾性領域Ｘ、Ｙについて説明する図である。
【００３２】
本実施形態に係るおむつ１は、主に新生児や乳幼児等を着用対象とした使い捨ておむつである。おむつ１は、図１に示すように「縦方向」と、縦方向と交差する「横方向」と、縦方向及び横方向と交差する「前後方向」とを有する。また、以下では横方向の左側を「一方側」とし、右側を「他方側」として説明を行う（図１，２等参照）。
【００３３】
おむつ１は、着用者の股下に配置して排泄物を吸収する吸収性本体１０（「股下部」ともいう。）と、着用者の背側を覆う後胴回り部２０と、着用者の腹側を覆う前胴回り部３０と係止部材４０とを有する。図２に示した展開状態のおむつ１が縦方向の略中央位置を折り畳み位置として二つ折りされ、横方向の一方側の端部において後胴回り部２０と前胴回り部３０とが第１接合部１ｂにて接合されることで、一方側の脚回り開口部１ＨＬが形成される。横方向の他方側の端部においては、後胴回り部２０と前胴回り部３０とが接合されておらず、係止部材４０が前胴回り部３０に係止されることによって、他方側の脚回り開口部１ＨＬ及び胴回り開口部１ＨＢが形成される。つまり、本実施形態のおむつ１は横方向の一方側では後胴回り部２０と前胴回り部３０とが接合されて閉じており、他方側では両者が接合されずに開いている、所謂「片開き型のおむつ」である。
【００３４】
後胴回り部２０及び前胴回り部３０は、その平面形状は略矩形であり、図２の展開状態では、後胴回り部２０と前胴回り部３０とが互いに縦方向に間隔をあけて平行に配置され、これらの間に吸収性本体１０が架け渡されている。そして、吸収性本体１０の一端部１０ａに後胴回り部２０が、他端部１０ｂに前胴回り部３０が固定されている。
【００３５】
（吸収性本体１０）
吸収性本体１０（股下部）は、平面視略長方形をなし、その長手方向をおむつ１の縦方向に沿わせつつ横方向の中央に配置されている。図２において、中心線ＡＣは吸収性本体１０の横方向における中心である。吸収性本体１０は、液体を吸収して保持する吸収体１１と、吸収体１１を着用者の肌側から覆いつつ尿等の排泄物を透過させる液透過性の表面シート１２と、吸収体１１を非肌側から覆いつつ非肌側からの液体の漏れを防ぐ液不透過性の裏面シート１３を有する。吸収体１１は、パルプ繊維等の液体吸収性繊維を図２に示されるような平面視略砂時計形状等の所定形状に成形したものであり、その内部には高吸収性ポリマーが混入されている。
【００３６】
また、吸収性本体１０の横方向における両側部に位置する部位には、縦方向に沿って伸縮するレッグギャザーＬＧ（脚回り伸縮部）がそれぞれ設けられている。レッグギャザーＬＧは、例えば、不織布等により形成されており、縦方向に沿って伸縮するレッグギャザー弾性部材１６を備えている。レッグギャザー弾性部材１６は、例えば、糸ゴム等によって形成され、縦方向に伸長された状態でレッグギャザーＬＧに接合されることでレッグギャザーＬＧに縦方向に沿った伸縮性を付与する。また、吸収性本体１０の横方向において、レッグギャザーＬＧよりも内側に、一対のレッグサイドギャザーＬＳＧ（立体ギャザー）がさらに設けられていても良い。（図２では不図示）。
【００３７】
（後胴回り部２０）
後胴回り部２０は、着用者の肌側に位置する肌側部材２１と、非肌側に位置する非肌側部材２２と、肌側部材２１と非肌側部材２２の間に位置する複数の糸ゴム２３を有する。肌側部材２１と非肌側部材２２は、それぞれ不織布等の柔軟なシート部材である。糸ゴム２３は、後胴回り部２０に対して横方向の伸縮性を付与する弾性部材である。本実施形態では、縦方向に所定の間隔で並ぶ複数の糸ゴム２３が、横方向に伸長された状態で接着剤等により肌側部材２１と非肌側部材２２との間接合されている。
【００３８】
図２で、中心線ＲＣは、後胴回り部２０の横方向の中心を示している。後胴回り部２０の一方側の端部には接合領域２０ｊが設けられ、熱溶着等の所定の接合手段を用いて前胴回り部３０の接合領域３０ｊ（後述）と接合されることにより、おむつ１の第１接合部１ｂが形成される。また、後胴回り部２０の他方側の端部には、固着領域４０ｊが設けられている。固着領域４０ｊには、係止部材４０が固着されている。
【００３９】
糸ゴム２３は、弾性領域Ｘを形成しておむつ１のフィット性を向上させている。後胴回り部２０の上端部において、糸ゴム２３は、横方向の一端側から他端側に連続して設けられており、縦方向に所定の間隔で並んで配置されている。後胴回り部２０のうち吸収体１１と重なる領域、つまり、後胴回り部２０の縦方向中央部及び下端部においては、吸収体１１が配置された領域に対応する後胴回り部２０の幅方向の中央部には、糸ゴム２３が配置されず、吸収体１１より左側の領域と吸収体より右側の領域に略平行に複数の糸ゴム２３が設けられている。
【００４０】
図３に示すように、後胴回り部２０の横方向の一方側に設けられた接合領域２０ｊの横方向内側（他方側）端から、横方向の他方側に設けられた固着領域４０ｊの横方向内側（一方側）端までの領域で糸ゴム２３が配置されている領域を弾性領域Ｘという。図３において、弾性領域Ｘは斜線部で示されている。なお、図３では便宜上、接合領域２０ｊ、３０ｊ、固着領域４０ｊのハッチングは省略している。図２、図３に示すように、糸ゴム２３は、後胴回り部２０の横方向の両側の端２０ｅｒ，２０ｅｌまで配置されているが、それぞれ横方向の端部に接合領域２０ｊ及び固着領域４０ｊが設けられることで、接合領域２０ｊ、及び接合領域２０ｊより横方向外側、並びに固着領域４０ｊ、及び固着領域４０ｊより横方向外側の部分の伸縮力は実質的に発現できなくなる。この弾性領域Ｘの一方側の端Ｘｅ１は、接合領域２０ｊの横方向内側の横端と同位置であり、弾性領域Ｘの他方側の端Ｘｅ２は、固着領域４０ｊの横方向内側の横端と同じ位置である。なお、図３の斜線部で示される弾性領域Ｘ以外の領域（非弾性領域）にも糸ゴム２３が配置されており、当該非弾性領域において糸ゴム２３が切断されることによって、その領域では伸縮性を発現しないようにするのであっても良い。
【００４１】
中心線ＢＣは、片脚を入れた状態の着用者の身体の略中心となる位置を示しており、本実施形態において、中心線ＢＣは、後胴回り部２０の横方向の中心を示す中心線ＲＣと同位置である。この中心線ＲＣ、中心線ＢＣは、吸収性本体１０の中心を示す中心線ＡＣと異なる位置で、中心線ＡＣより右側（他方側）に位置している。この理由については、後で説明する。
【００４２】
後胴回り部２０の下端２０ｂは、一方側には、一方側の端部に向かって傾斜している傾斜部２０ｂｌを有している。他方側には、前胴回り部３０の下端と略平行に形成された直線部２０ｂｓと、直線部２０ｂｓより横方向内側に、傾斜部２０ｂｌと中心線ＡＣについて対称な傾斜部２０ｂｒを有している。このように、左右の傾斜部を対称に設けることにより、当該傾斜部が左右ともに着用者の臀部の丸みに沿いやすくなる。そして、直線部２０ｂｓを前胴回り部３０の下端と略平行にすることで、係止部４１をターゲット領域３４に係止しておむつ１を着用状態にしたときに、前胴回り部３０の下端と後胴回り部２０の直線部２０ｂｓを揃えることができるため、着用状態の見栄えが良くなる。また、図２に示されるように後胴回り部２０の縦方向の上端２０ａから下端２０ｂまでの距離（縦方向の長さ）をＨ２０とする。
【００４３】
（係止部４０）
係止部材４０は、固着領域４０ｊで後胴回り部２０に熱融着等の所定の固着手段で固定されたものであり、略台形形状のテープ基材である。係止部材４０は肌側面に複数の係止用突起（フック）を備えた面ファスナーの係止部４１を有している。係止部４１の係止用突起を、前胴回り部３０に設けられたターゲット領域３４に引っ掛けることにより、係止部材４０が前胴回り部３０に係止される。これにより、胴回り開口部１ＨＢと他方側の脚回り開口部１ＨＬが形成される（図１参照）。なお、おむつ１の着用時においては、弾性領域Ｘの収縮に応じて係止部４１が横方向に引っ張られることにより、係止用突起（フック）がターゲット領域３４に引っかかりやすくなるため、係止部４１をより強く係止させることができる
【００４４】
なお、図２に示される例では、後胴回り部２０と係止部材４０とはそれぞれ異なる部材として形成されており、固着領域４０ｊにて互いに接合されているが、後胴回り部２０と係止部材４０とが一の部材として形成されていても良い。つまり、図２における前胴回り部３０と係止部材４０とを合わせて、「後胴回り部２０」としても良い。この場合、係止部４１は後胴回り部２０の横方向他方側の端部に直接接合される。このとき、弾性領域Ｘの他方側の端Ｘｅ２が、係止部４１の横方向一方側端部よりも横方向の一方側（内側）に位置するように、弾性領域Ｘが設けられる。
【００４５】
（前胴回り部３０）
前胴回り部３０は、着用者の肌側に位置する肌側部材３１と、非肌側に位置する非肌側部材３２と、肌側部材３１と非肌側部材３２の間に位置する複数の糸ゴム３３（弾性部材）と、前胴回り部３０の非肌側面にターゲット領域３４を有する。肌側部材３１と非肌側部材３２は、それぞれ不織布等の柔軟なシート部材である。糸ゴム３３は、前胴回り部３０に対して横方向の伸縮性を付与する弾性部材である。本実施形態では、縦方向に所定の間隔で並ぶ複数の糸ゴム３３が、横方向に伸長された状態で接着剤等により肌側部材３１と非肌側部材３２との間接合されている。ターゲット領域３４は、係止部４１と係合可能な領域であり、例えば、不織布の表面の繊維をループ状に加工して、係止部４１の係止用突起（フック）を係合させやすくした部材等によって形成される。なお、ターゲット領域３４と前胴回り部３０とを異なる部材とするのではなく、前胴回り部３０の非肌側部材３２の一部の領域を加工することによってターゲット領域３４が形成されるのであっても良い。
【００４６】
糸ゴム３３は、弾性領域Ｙを形成しておむつ１のフィット性を向上させている。糸ゴム３３は、前胴回り部３０のうち、横方向の一方側（左側）の端３０ｅｌから中心線ＡＣよりも横方向一方側の所定の位置までの間に設けられている。本実施形態では、横端３０ｅｌから吸収性本体１０よりも横方向の一方側の範囲に糸ゴム３３（弾性領域Ｙ）が設けられている。これに対して、横方向の他方側（右側）の端３０ｅｒから中心線ＡＣまでの間には糸ゴム３３が設けられていない。そして、図３の斜線部で示されるように、接合領域３０ｊの横方向の内側の横端から、吸収性本体１０の左端１０ｅｌと、の間で糸ゴム３３が配置されている領域を弾性領域Ｙという。なお、図３の斜線部で示される弾性領域Ｙ以外の領域（非弾性領域）にも糸ゴム３３が配置されており、当該非弾性領域において糸ゴム３３が切断されることによって、その領域では伸縮性を発現しないようにするのであっても良い。
【００４７】
図２に示すように、前胴回り部３０の左側の端部には、接合領域３０ｊを有し、後胴回り部２０の接合領域２０ｊと接合されることで第１接合部１ｂが形成される。また、前胴回り部３０の横方向の長さは、後胴回り部２０の横方向の長さより短い。つまり、横方向において、前胴回り部３０の一方側（左側）の端３０ｅｌは、後胴回り部２０の一方側（左側）の端２０ｅｌとほぼ同位置に設けられている。これに対して、横方向において、前胴回り部３０の他方側（右側）の端３０ｅｒは、後胴回り部２０の他方側（右側）の端２０ｅｒよりも内側に設けられている。
【００４８】
また、図２に示されるように前胴回り部３０の縦方向の上端３０ａから下端３０ｂまでの距離（縦方向の長さ）をＨ３０とする。
【００４９】
＜おむつ１の着用方法について＞
図４は、おむつ１の着用方法について説明する図である。上述のように、おむつ１の横方向の一方側端部は、前胴回り部３０と後胴回り部２０とが第１接合部１ｂによって接合され、脚回り開口部１ＨＬが形成されている。これに対して、横方向の他方側端部は、前胴回り部３０と後胴回り部２０とが接合されておらず開いた状態となっている。すなわち、おむつ１は、横方向の片側が開いた状態となっている。このようなおむつ１を着用者（乳幼児等）に着用させる際には、まず、おむつ１の横方向の一方側に形成された脚回り開口部１ＨＬに着用者の片脚（右脚）を入れて、該片脚を着用状態と同じ位置、つまり、一方側の脚回り開口部１ＨＬを着用者の右脚の付け根に配置する。その後、着用させようとする人が、片方の手で前胴回り部３０の他方側端部を横方向の他方側へ引っ張った状態で押さえる。そして、もう一方の手で係止部材４０（後胴回り部２０の他方側端部）を横方向の他方側へ引っ張りながら前胴回り部３０の前方側に回し込み、係止部４１を前胴回り部３０のターゲット領域３４に係止させる。これにより、他方側の脚回り開口部を形成し、おむつ１を着用状態とする。
【００５０】
このような着用方法であれば、一方側の脚回り開口部１ＨＬに着用者の片脚を通した状態で、ターゲット領域３４に係止部４１を係止させることで、他方側の脚回り開口部１ＨＬ及び胴回り開口部１ＨＢを同時に形成することができる。したがって、着用者たる新生児や乳幼児が脚をバタつかせているような場合であっても、おむつ１を容易に着用させることができる。
【００５１】
また、このようなおむつ１の着用動作において、前胴回り部３０（後胴回り部２０）が横方向の他方側に引っ張られる際に、前胴回り部３０が横方向に伸長するのに応じて前胴回り部３０に接合された吸収性本体１０も横方向に移動する。そのため、おむつ１では、横方向一方側の脚回り開口部１ＨＬに片脚を入れた状態における後胴回り部２０の横方向の中心線ＲＣが、吸収性本体１０の横方向の中心線ＡＣよりも他方側になるようにしている。
【００５２】
脚回り開口部１ＨＬに片脚を入れた状態では、吸収性本体１０の中心線ＡＣは、着用者の身体の中心を表す中心線ＢＣより一方側（右脚側）に位置している。この状態から、係止部材４０を他方側に引っ張り、係止部４１を前胴回り部３０に係止して着用状態のおむつ１に変形させると、後胴回り部２０が横方向に伸長し、吸収性本体１０が他方側（左脚側）へ移動する。これにより、中心線ＡＣと中心線ＢＣが近づき、吸収性本体１０を着用者の身体の中心により近づけることができる。
【００５３】
＜弾性領域の配置について＞
上述したおむつ１の着用動作において、吸収性本体１０の位置を着用者の身体の中心に正確に合わせることができないと、吸収体１１が着用者の身体にフィットせず、排泄物が漏れたり、着用者に不快感を与えたりするおそれがある。本実施形態では、おむつ１の弾性領域Ｘ，Ｙの配置を調整することにより、おむつ１の着用動作に際して吸収性本体１０を正確に着用者の身体の中心に移動できるようにしている。以下、おむつ１の弾性領域Ｘ，Ｙの配置の詳細について説明する。
【００５４】
まず、前胴回り部３０側について説明する。図５は、おむつ１の着用時において、胴回り部３０に作用する力について説明する図である。同図５では、おむつ１を着用する際に、前胴回り部３０が横方向の他方側に引っ張られた時の状態について表している。また、前胴回り部３０のうち、吸収性本体１０の横方向における中央位置（中心線ＡＣ）よりも一方側の領域を第１領域と定義する。同様に、前胴回り部３０のうち、吸収性本体１０の横方向における中央位置（中心線ＡＣ）よりも他方側の領域を第２領域と定義する。
【００５５】
前胴回り部３０の第１領域には横方向に伸縮可能な複数の糸ゴム３３によって弾性領域Ｙが形成されている。図３でも説明したように、本実施形態において、弾性領域Ｙは接合領域３０ｊの横方向の他方側（内側）端と、吸収性本体１０の左端１０ｅｌと、の間の領域に設けられる。また、前胴回り部３０の第２領域には弾性領域が形成されてない。すなわち、第２領域は全体に亘って、非弾性（非伸縮）領域となっている。
【００５６】
おむつ１の着用時には、前胴回り部３０の横方向の一方側の端３０ｅｌが着用者の身体に固定された状態で、前胴回り部３０の横方向の他方側の端３０ｅｒが他方側に引っ張られる。このとき、第２領域は伸縮しないため、端３０ｅｒを他方側に引っ張る力Ｆ１は、前胴回り部３０の第２領域（非弾性領域）を介してほぼそのまま吸収性本体１０に伝達され、吸収性本体１０の他方側の端１０ｅｒが横方向の他方側に力Ｆ１で引っ張られる。これにより、吸収性本体１０が横方向の他方側に移動して、中心吸収性本体１０の中心線ＡＣが着用者の身体の中心線ＢＣの位置に近付く。
【００５７】
また、端３０ｅｌが他方側に引っ張られるのに応じて、第１領域に設けられた弾性領域Ｙが横方向に伸長され、第１領域を横方向に収縮させる力Ｆ１′を発現する。この収縮力によって、吸収性本体１０の一方側の端１０ｅｌは横方向の他方側に引っ張られる。つまり、おむつ１の着用時において、吸収性本体１０に対して横方向の両側に引っ張る力が作用する。これにより、吸収性本体１０が横方向に拡幅されて吸収体１１に皺等が形成されにくくなるため、吸収体１１を着用者の身体にフィットさせやすくなり、排泄物の漏れ等を抑制しやすくなる。また、左右の形状が非対称なおむつ１であっても、着用時の左右のバランスが取りやすくなり、フィット性が良好になる。
【００５８】
このように、前胴回り部３０の端３０ｅｒを引っ張るだけで吸収性本体１０の位置を着用者の身体の中央に合わせる作業を容易に行うことができる。その際、端３０ｅｒを引っ張る力Ｆ１を加減することにより、吸収性本体１０の移動量を微調整できるため、おむつ１の着用時における吸収性本体１０のフィット性をより良好なものとしやすい。また、端３０ｅｒを含む前胴回り部３０の横方向他方側の端部が非弾性領域となっていることから、当該非弾性領域を掴んで引っ張る動作を行いやすく操作性が良好となり、おむつ１の着用動作を快適に行うことができる。
【００５９】
上述の通り、本実施形態では、第２領域において吸収性本体１０の他方側の端１０ｅｒと前胴回り部３０の他方側の端３０ｅｒとの間に弾性領域を設けないことによって、吸収性本体１０を横方向に正確に移動させることを可能としている。但し、第２領域の全体が非弾性である必要は無く、少なくとも、吸収性本体１０の他方側の端１０ｅｒよりも他方側の領域において、弾性領域が設けられていなければ良い。当該領域が非伸縮であれば、前胴回り部３０を引っ張る力Ｆ１をダイレクトに吸収性本体１０に伝達して吸収性本体１０を移動させることができるからである。
【００６０】
なお、着用者の身体に対する吸収体１１の位置を調整するという観点では、第２領域において、吸収体１１の他方側の端１１ｅｒよりも他方側に弾性領域が設けられないようにしても良い。同様に、第１領域において、吸収体１１の一方側の端１１ｅｌよりも一方側の領域に弾性領域Ｙが設けられるようにしても良い。このような構成であっても、吸収体１１を拡幅しながら、正確に位置を調整することが可能である。
【００６１】
また、本実施形態では、前胴回り部３０の第２領域にターゲット領域３４が設けられているが、第２領域の全域が非弾性領域で伸縮しにくいため、ターゲット領域３４が平面形状に保たれやすく、皺が生じにくい。したがって、ターゲット領域３４の表面に、係止部４１の係止用突起を係止させやすく、係止させた後は両者が剥がれにくくなる。これにより、着用者（乳幼児等）が身体を動かした場合であってもおむつ１がずれにくく、良好なフィット性を維持しやすくなる。
【００６２】
ここで、比較例として、前胴回り部３０のうち適切な部分に非弾性領域が設けられていない場合について説明する。図６は、比較例のおむつを着用する際に胴回り部３０に作用する力について説明する図である。比較例では、前胴回り部３０の上方において、横方向の一方側の端３０ｅｌから他方側の端３０ｅｒの全領域に亘って弾性領域が設けられており、非弾性領域は設けられていない。このようなおむつを着用させる際に、前胴回り部３０が横方向の一方側に引っ張られると、第２領域のうち、吸収性本体１０の他方側の端１０ｅｒと前胴回り部３０の他方側の端３０ｅｒとの間の領域が伸縮する。そのため、胴回り部３０を横方向に引っ張る力Ｆ１は、胴回り部３０を伸長させるために使われ、吸収性本体１０の他方側の端１０ｅｒを引っ張る力Ｆ１″は、Ｆ１よりも弱くなる（Ｆ１＞Ｆ１″）。つまり、胴回り部３０を横方向に引っ張る力Ｆ１が吸収性本体１０に対して十分に伝達せず、吸収性本体１０の中心線ＡＣを着用者の身体の中心線ＢＣに移動させ難くなり、良好なフィット性を実現しにくくなる。したがって、本実施形態のように、第１領域の所定の領域には弾性領域が設けられ、第２領域の所定の領域には弾性領域が設けられないようにすることが望ましい。
【００６３】
続いて、後胴回り部２０側について説明する。図７は、おむつ１の着用時において、後胴回り部２０に作用する力について説明する図である。同図６では、おむつ１を着用する際に、後胴回り部２０が横方向の他方側に引っ張られた時の状態について表している。また、後胴回り部２０のうち、吸収性本体１０の横方向における中央位置（中心線ＡＣ）よりも一方側の領域を第３領域と定義し、後胴回り部２０のうち、吸収性本体１０の横方向における中央位置（中心線ＡＣ）よりも他方側の領域を第４領域と定義する。
【００６４】
後胴回り部２０の第３領域には横方向に伸縮可能な複数の糸ゴム２３によって弾性領域Ｘ３が形成されている。図７では、弾性領域Ｘ３が接合領域２０ｊの横方向の他方側（内側）端から中心線ＡＣに亘って設けられている。同様に、第４領域には横方向に伸縮可能な複数の糸ゴム２３によって弾性領域Ｘ４が形成されている。図７では、弾性領域Ｘ４が中心線ＡＣから固着領域４０ｊの横方向一方側（内側）端に亘って設けられている。この弾性領域Ｘ３及び弾性領域Ｘ４によって後胴回り部２０の横方向の全領域に亘って弾性領域Ｘが形成されている（図３参照）。
【００６５】
おむつ１の着用時には、後胴回り部２０の横方向の一方側の端２０ｅｌが着用者の身体に固定された状態で、後胴回り部２０の横方向の他方側に設けられた係止部材４０が他方側に引っ張られる。この係止部材４０を引っ張る力Ｆ２によって、弾性領域Ｘ３及び弾性領域Ｘ４が横方向に伸長され、第３領域及び第４領域に伸縮力が発現する。これにより、吸収性本体１０の横方向両端に横方向外側に向かう力Ｆ２′が作用して、吸収体１１が横方向に拡幅されつつ、胴回り開口部１ＨＢに伸縮性が付与され、吸収体１１を着用者の身体にフィットさせやすくなる。
【００６６】
なお、吸収性本体１０を拡幅させるためには、前胴回り部３０で説明したのと同様に、後胴回り部２０において少なくとも中心線ＡＣから横方向一方側の第３領域に弾性領域Ｘ３が設けられていれば良い。但し、後胴回り部２０は、おむつ１の着用時において着用者の胴回りのうち、臀部側の広い面積を覆う部位であることから、おむつ１の位置ずれを生じ難くするためには、胴回り開口部１ＨＢには十分な伸縮性を付与する必要がある。そのため、おむつ１では中心線ＡＣから横方向他方側の第４領域に弾性領域Ｘ４を設け、後胴回り部２０の広い範囲で伸縮性が発現できるようにしている。なお、本実施形態では、前胴回り部３０の第２領域（非弾性領域）を引っ張ることで吸収性本体１０の横方向の位置調整が可能となるため、後胴回り部４０の第４領域（弾性領域Ｘ４）が伸縮性を有していても、吸収性本体１０の位置を着用者の身体の中央に合わせる機能は損なわれない。
【００６７】
また、おむつ１では、弾性領域Ｘ３と弾性領域Ｘ４とが連続している。すなわち、横方向において弾性領域Ｘ３による伸縮力と弾性領域Ｘ４による伸縮力とが連動して、後胴回り部２０の全体に亘って伸縮性が確保され、また、伸縮力を均等に作用させやすくなる。これにより、弾性領域Ｘ３及び弾性領域Ｘ４が伸長する際に局所的に伸長の割合が変化したり、歪が生じたりしにくくなり、おむつ１の着用時において着用者の後胴回りに局所的な締め付けが生じること等が抑制される。また、後胴回り部２０が着用者の背中の位置に合いやすくなり、おむつ１着用時のフィット性が向上する。
【００６８】
さらに、おむつ１では、弾性領域Ｘ３と弾性領域Ｙとが実質的に連続している。すなわち、後胴回り部２０の弾性領域Ｘ３による伸縮力と、前胴回り部２０の弾性領域Ｙによる伸縮力とが連動して、おむつ１の胴回り開口部１ＨＢのほぼ全周に亘って伸縮性が確保され、また、伸縮力を均等に作用させやすくなっている。これにより、弾性領域Ｘ３,Ｘ４及び弾性領域Ｙが伸長する際に、局所的に伸長の割合が変化したり、歪が生じたりしにくくなり、おむつ１の着用時において着用者の胴回りに局所的な締め付けが生じること等が抑制され、フィット性がより向上する。
【００６９】
なお、弾性領域Ｘ３と弾性領域Ｙとが実質的に連続している状態とは、弾性領域Ｘ３が伸縮性を発現している範囲と、弾性領域Ｙが伸縮性を発現している範囲とが連続していることを意味する。図８は、弾性領域Ｘ３と弾性領域Ｙとの連続性について説明する概略断面図である。図８は、おむつ１の横方向一方側の端部領域について、接合領域３０ｊ，４０ｊ付近を上方側から見た状態を示している。同図８で、前胴回り部３０と後胴回り部２０とは、第１接合部１ｂ（３０ｊ，４０ｊ）にて接合されている。このとき、弾性領域Ｙに設けられている糸ゴム３３と、弾性領域Ｘ３に設けられている糸ゴム２３とが一体的に構成されているわけではない。しかし、第１接合部１ｂを介して両者が圧着されていることから、弾性領域Ｘ３による伸縮力と弾性領域Ｙによる伸縮力とが連動して作用するようになる。したがって、着用者の胴回り全体に亘って伸縮力を作用させることが可能となる。
【００７０】
また、後胴回り部２０の他方側端部に接合されている係止部材４０（係止部材４１）には弾性領域が設けられていない。すなわち、第４領域に設けられた弾性領域Ｘ４よりも横方向の他方側は非弾性領域となっている。係止部材４０は、おむつ１の着用時に後胴回り部２０を横方向他方側に引っ張る際に掴まれる部分であるため、当該部分が非伸縮である方が、操作性が向上する。また、係止部材４０が非伸縮であることにより、係止部材４０を横方向に引っ張る力がダイレクトに弾性領域Ｘ４に伝達されやすく、着用動作をスムーズに行うことができる。さらに、係止部材４０が非伸縮であれば、係止部材４０に設けられる係止部４１が平面形状に保たれやすくなるため、ターゲット領域３４に対して係止部４１をしっかりと係止させることができる。
【００７１】
また、おむつ１では、レッグギャザー弾性部材１６と後胴回り部２０の第４領域とが重複する部分を有する（図２参照）。すなわち、縦方向において、レッグギャザー弾性部材１６による伸縮性が作用する範囲が、第４領域の少なくとも一部の領域と重複している。このような構成により、おむつ１の着用時において後胴回り部２０が横方向の他方側に引っ張られると、後胴回り部２０に連動してレッグギャザー弾性部材１６が引っ張られ、レッグギャザーＬＧが縦方向の上側かつ、横方向の他方側に引き上げられるようになる。これにより、着用者の臀部側（第４領域）において脚回り開口部１ＨＬが臀部に沿ってフィットしやすくなる。また、上述したように、おむつ１の着用時には吸収性本体１０（中心線ＡＣ）が横方向の他方側に移動するため、該吸収性本体１０に押されてレッグギャザーＬＧに皺が生じやすい。しかし、上述の引き上げ効果によってレッグギャザーＬＧが伸ばされることにより、レッグギャザーＬＧに発生した皺も伸ばされ、臀部におけるフィット性を向上させることができる。
【００７２】
さらに、おむつ１では、第４領域の下方に設けられた糸ゴム２３ｂとレッグギャザー弾性部材１６とが交差するように配置されているため、レッグギャザー弾性部材１６に対して糸ゴム２３ｂによる横方向の伸縮力も連動して作用するため、レッグギャザーＬＧの引き上げ効果がより大きくなる。
【００７３】
また、おむつ１では、後胴回り部２０の縦方向の長さＨ２０の方が、前胴回り部３０の縦方向の長さＨ３０よりも長い。これにより、おむつ１の着用時において、着用者の身体が前胴回り部３０によって覆われる部分の面積よりも、後胴回り部２０によって覆われる部分の面積の方が大きくなる。すなわち、面積の広い臀部領域をしっかりと覆うことができるようになる。なお、後胴回り部２０の横方向の全体に亘って設けられた弾性領域Ｘの弾性力によって、広い面積を有する後胴回り部２０が全体的に伸ばされるため、後胴回り部２０の面積が大きくても皺等は発生しにくく、着用者に良好なフィット感を与えることができる。
【００７４】
なお、上記実施形態において、図２に示した長さＨ２０、Ｈ３０等の比較は、後胴回り部２０、前胴回り部３０（及び吸収性本体１０）を伸長させた状態での比較である。「伸長させた状態」とは、吸収性本体１０を縦方向に、後胴回り部２０及び前胴回り部３０を横方向に、皺なく伸長させた状態をいう。より具体的には、吸収性本体１０の縦方向の寸法が、表面シート１２の縦方向の寸法と同じ又はそれに近い長さになるまで縦方向に伸長させた状態、後胴回り部２０の横方向の寸法が、肌側部材２１の横方向の寸法及び非肌側部材２２の横方向の寸法と同じ又はこれらの寸法に近い長さになるまで横方向に伸長させた状態、ならびに、前胴回り部３０の横方向の寸法が、肌側部材３１の横方向の寸法及び非肌側部材３２の横方向の寸法と同じ又はこれらの寸法に近い長さになるまで横方向に伸長させた状態をいう。
【００７５】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱すること無く、変更や改良され得るとともに、本発明にはその等価物が含まれるのはいうまでも無い。例えば、以下に示すような変形が可能である。
【００７６】
上述の実施形態においては、吸収性物品の一例としていわゆる３ピースタイプの使い捨ておむつ１を例示したが、何等これに限られない。例えば、後胴回り部と前胴回り部とを股下を介して一体化した外装シートを第１部品、外装シートの肌側面に固定される吸収性本体を第２部品として有する２ピースタイプの使い捨ておむつであっても良い。
【００７７】
上述の実施形態では、ターゲット領域３４がループを有し、係止部４１がフックを有し、ループにフックが引っ掛かることによってターゲット領域３４に係止部４１を係止させる例について説明されていたが、ターゲット領域３４及び係止部４１の構成は、それぞれ上述の例には限られない。例えば、ターゲット領域３４及び係止部４１の少なくとも一方の表面に粘着性を有する部材が設けられており、当該粘着性の部材を他方の表面に貼付することによって、両者が係止されるのであっても良い。
【００７８】
上述の実施形態においては、着用時において、係止部材４０が後胴回り部２０から横方向に突出した状態を説明したが、使い捨ておむつ１が製造された状態で係止部材４０が折り畳まれていても良く、係止部材４０が前胴回り部３０とミシン目等で仮連結されていても良い。
【００７９】
上述の実施形態においては、弾性部材として糸ゴム２３、３３を用いることとしたが、これに限られない。伸縮性を有する不織布等を用いても良い。
【００８０】
上述の実施形態においては、後胴回り部２０及び前胴回り部３０について、吸収体１１と重なる領域は、糸ゴム２３、３３を設けないこととしたが、これに限られない。吸収体１１と重なる領域に糸ゴム２３、３３を設けても良い。吸収体１１と重なる領域に糸ゴム２３、３３を設けないことにより、吸収体１１が糸ゴム２３、３３の伸縮により変形されるおそれを軽減することができる。一方、吸収体１１と重なる領域に糸ゴム２３、３３を設けることで、伸縮力により、吸収性本体１０をよりフィットさせることができる。
【符号の説明】
【００８１】
１  おむつ（吸収性物品）、
１ｂ  第１接合部、２ｂ  第２接合部、
１ＨＢ  胴回り開口部、１ＨＬ  脚回り開口部、
１０  吸収性本体（股下部）、
１０ａ  一端部、１０ｂ  他端部、１０ｅｒ  端、１０ｅｌ  端、
１１  吸収体、１１ｅｒ  端、１２  表面シート、１３  裏面シート、
１６  レッグギャザー弾性部材、
２０  後胴回り部、２０ａ  上端、２０ｂ  下端、２０ｂｓ  直線部、
２０ｂｌ  傾斜部（一方側傾斜部）、２０ｂｒ  傾斜部（他方側傾斜部）、
２０ｅｒ  端、２０ｅｌ  端、２０ｊ  接合領域、
２１  肌側部材、２２  非肌側部材、２３  糸ゴム（弾性部材）、
３０  前胴回り部、３０ａ  上端、３０ｂ  下端、
３０ｅｒ  端、３０ｅｌ  端、３０ｊ  接合領域、
３１  肌側部材、３２  非肌側部材、３３  糸ゴム（弾性部材）、
３４  ターゲット領域、
４０  係止部材、４０ｊ  固着領域、
４１  係止部、Ｈ４１  長さ（縦方向）、Ｗ４１  幅（横方向）、
Ｘ  弾性領域、Ｘｅ１  一方側の端、Ｘｅ２  他方側の端、
Ｘ３  弾性領域、Ｘ４  弾性領域、
Ｙ  弾性領域
【図１】
0006402092.tif 000002
【図２】
0006402092.tif 000003
【図３】
0006402092.tif 000004
【図４】
0006402092.tif 000005
【図５】
0006402092.tif 000006
【図６】
0006402092.tif 000007
【図７】
0006402092.tif 000008
【図８】
0006402092.tif 000009